(57)【要約】【課題】本発明は、棒状の用品を載置した際に該用品の安定性に優れた用品載置台、及び、燻煙処理された竹を有効利用する用品載置台を提供しようとする。【解決手段】用品を載置するものであって、表面に１又は複数個の切欠き部が形成された立体物であり、前記切欠き部の少なくとも１つが、該立体物の上面から前側面にかけて前記立体物の奥行き方向に延びて形成された溝であることを特徴とする用品載置台である。【選択図】　図１
2004090429.tif 000002
【特許請求の範囲】
【請求項１】
用品を載置するものであって、
表面に１又は複数個の切欠き部が形成された立体物であり、
前記切欠き部の少なくとも１つが、該立体物の上面から前側面にかけて前記立体物の奥行き方向に延びて形成された溝であることを特徴とする用品載置台。
【請求項２】
前記用品が棒状であり、該用品の長手方向と前記溝の延長方向とを平行にして前記溝の位置に載置されることを可能とした請求項１に記載の用品載置台。
【請求項３】
前記用品が印鑑又は筆である請求項１又は請求項２に記載の用品載置台。
【請求項４】
前記切欠き部のうち少なくとも１つが前記上面に形成された凹陥部から成る請求項１から３のいずれかに記載の用品載置台。
【請求項５】
前記凹陥部に印肉が収納された請求項４に記載の用品載置台。
【請求項６】
前記立体物が燻煙処理された竹から成る請求項１から５のいずれかに記載の用品載置台。
【発明の詳細な説明】
【０００１】
【発明の属する技術分野】
本発明は、印鑑置き等の用品載置台に関する。
【０００２】
【従来の技術】
従来品として図６に示す木製の筆置き６０がある。筆置き６０は、木材を山形に成形した立体物であり、該立体物は奥行き方向に対して鉛直方向が長くなっており、前記立体物の上面には切欠き部の断面をＵ字状に成形した溝６２が設けられている。しかし、筆軸を支える溝６２の奥行き方向の幅Ｔが狭く、筆の先端を上に向けて斜めに立て掛けて載置する場合に、筆が溝６２を支点として左右に動くために隣の筆と触れあい、筆の安定性に欠けるという問題があった。また、溝６２の幅Ｔが狭いと筆先の重みで筆先側へ傾斜し、滑り落ちる恐れがあるため、筆を載置する際に注意を要した。更に、印鑑等の短い用品を置くことも困難であった。
【０００３】
そこで、本願の発明者は図７（ａ）に示す竹製の筆置き７０を試作した。筆置き７０は、竹から切り出された立体物であり、該立体物の奥行き方向に凸に彎曲した上面１１に切欠き部の断面をＵ字状に成形した溝７２が設けられている。しかし、筆置き７０においては、上面１１の筆を載置する溝７２が同図（ｂ）に示すように筆置き７０の側面にまで達していないため、筆を溝７２に水平に載置する場合には安定感があるが、筆の先端を上に向けて斜めに立て掛けて載置する場合には、筆置き７０から転落するという問題があった。
【０００４】
一方、竹のような天然素材を何ら処理することなく使用した竹製品には、黴が生え易い、腐敗し易い、虫がつき易い等の欠点があった。
【０００５】
そこで、燻煙処理された竹を使用することによって黴、腐敗、虫に強く、耐久性、安定性に優れた竹製品を得られることが知られている。燻煙処理は燻煙に含まれるフェノール系等の各種の化合物を竹材に浸透させることができ、かつ、同時に乾燥処理を加熱水蒸気の雰囲気下で行わせることが可能なので、物理的、化学的、生物学的に安定した素材を得ることが可能である。
【０００６】
しかし、燻煙処理された竹を楽器等の製品に加工した後に出る廃材は、他の製品にほとんど利用されることなく廃棄処分されていた。
【０００７】
【発明が解決しようとする課題】
本発明は、棒状の用品を載置した際に該用品の安定性に優れた用品載置台、及び、燻煙処理された竹を有効利用する用品載置台を提供しようとする。
【０００８】
【課題を解決するための手段】
本発明の発明者はこれらの問題を解決するために鋭意検討し、竹等から成る立体物の上面から前側面にかけて該立体物の奥行き方向に延びた溝を形成することにより、載置される用品の安定性を高めた用品載置台、及び該用品載置台に燻煙処理された竹を使用することにより、前記竹を有効利用する用品載置台を見出した。
【０００９】
即ち、本発明に係る用品載置台の要旨とするところは、用品を載置するものであって、表面に１又は複数個の切欠き部が形成された立体物であり、前記切欠き部の少なくとも１つが、該立体物の上面から前側面にかけて前記立体物の奥行き方向に延びて形成された溝であることにある。
【００１０】
また、本発明に係る用品載置台において、前記用品が棒状であり、該用品の長手方向と前記溝の延長方向とを平行にして前記溝の位置に載置されることを可能としたことにある。
【００１１】
更に、本発明に係る用品載置台において、前記用品が印鑑又は筆であることにある。
【００１２】
また、本発明に係る用品載置台において、前記切欠き部のうち少なくとも１つが前記上面に形成された凹陥部から成ること、更に、前記凹陥部に印肉が収納されたことにある。
【００１３】
また、本発明に係る用品載置台において、前記立体物が燻煙処理された竹から成ることにある。
【００１４】
【発明の実施の形態】
本発明に係る用品載置台の実施の形態を、図面に基づいて以下に詳しく説明する。
【００１５】
なお、以下に示す実施形態には竹材が使用されているが、本発明に係る用品載置台には、竹材の他、金属、プラスチック、又はセラミックス等を使用しても良く、用品載置台の材料は特に限定されるものではない。
【００１６】
図１（ａ）において符号１０は、本発明に係る用品載置台を印鑑置きとした場合の一例である。印鑑置き１０には、竹材１２の表面に切欠き部の断面をＵ字状に成形した溝（切欠き部）１４と、溝１４に対して印鑑置き１０の長手方向に幅広であって切欠き部の断面を四角状に成形した溝（切欠き部）１６が設けられている。ここで、図１（ｂ）に示すように、溝１４及び１６は共に竹材１２の上面１１から前側面１３にまで達しているため、印鑑、特に丸印を溝１４に印鑑の先端を上に向けて斜めに立て掛けて載置する場合に、印鑑置き１０から転落することなく、溝１４によって安定的に保持される。
【００１７】
また、溝１４に対して印鑑置き１０の長手方向に幅広であって切欠き部の断面を四角状に成形した溝１６を設けることにより、角印も安定的に載置することができる。
【００１８】
また、上面１１が奥行き方向に凸に彎曲しているため、竹材１２の厚みが薄い場合であっても、溝１４及び１６の溝深さを十分に確保することができ、印鑑を載置した場合に安定的に保持することが出来る。
【００１９】
更に、溝１４及び１６の傾斜を緩やかにし、かつ、印鑑置き１０の奥行き方向に十分な長さの溝を設けることによって、印鑑と溝１４及び１６との接触面積が増大し、印鑑置き１０に載置した印鑑が手前方向に滑り落ちることもない。
【００２０】
更にまた、竹材１２に燻煙処理された竹を使用することにより、黴、腐敗、虫に強く、耐久性に優れた印鑑置き１０を得られる。なお、燻煙処理方法については、公知の燻煙処理方法を使用した。
【００２１】
なお、溝１４及び１６の構成数、溝の断面形状、間隔及び配置構成は図１（ａ）に示すものに限定されるものではない。また、溝１４及び１６の溝幅についても用途に応じて任意に設定することができる。
【００２２】
そこで、本発明に係る用品載置台を印鑑置きとした場合の別の形態として図２に示す。図２（ａ）において符号２０は本発明に係る用品載置台を印鑑置きとした場合の別形態の一例である。印鑑置き２０には、竹材１２の表面に切欠き部の断面をＶ字状に成形した溝（切欠き部）２２と、溝２２に対して印鑑置き２０の長手方向に幅広であって切欠き部の断面を四角状に成形した溝１６が設けられている。
【００２３】
つまり、印鑑を載置するために形成された溝の断面形状はＵ字状に限定されるものではなく、切欠き部の断面をＶ字状に成形した溝２２のような形状でもよく、また、多角状等に成形してもよい。更に、溝１６及び２２の構成数、溝幅、溝の間隔及び配置構成についても任意に設定することができる。
【００２４】
次に、本発明に係る用品載置台を印鑑置きとした場合の他の形態として、図３に示す。図３において符号３０は本発明に係る用品載置台を印鑑置きとし、かつ、印鑑置き３０の上面１１に凹陥部（切欠き部）３２を形成したものの一例である。
【００２５】
印鑑置き３０には、図１（ａ）に示す印鑑置き１０と同様に、竹材１２の表面に切欠き部の断面をＵ字状に成形した溝１４と、溝１４に対して印鑑置き３０の長手方向に幅広であって切欠き部の断面を四角状に成形した溝１６が設けられている。
【００２６】
更に、印鑑置き３０には、印鑑置き３０の奥行き方向に凸に彎曲した上面１１に凹陥部（切欠き部）３２が形成されており、凹陥部３２には印肉を収納することができる。通常、印鑑を使用する際には印肉が同時に使用されるため、印鑑置き３０に印肉を収納できる凹陥部３２を形成することにより、印鑑置き３０の利便性をより高めることとなる。
【００２７】
ここで、印鑑置き３０の上面１１に形成された凹陥部３２は、竹材１２の上面１１を円形状に削り取ったものであり、その内部に印肉を収納することができる。しかし、竹材１２を削り取った部分に直接印肉を収納した場合には、朱油が竹材の内部に浸透してしまう。
【００２８】
そこで、削り取った部分の表面にカシューの樹脂の塗料等を塗布することにより、朱油の浸透を防止することができる。また、削り取った部分に合った金属製及びプラスチック製等の容器を埋め込むことによっても朱油の浸透を防止することができる。
【００２９】
更に、印鑑置き３０に形成された凹陥部３２に蓋を設けてもよい。蓋を設けることによって、凹陥部３２に収納した印肉の乾燥を防止する効果がある。
【００３０】
なお、溝１４、１６及び凹陥部３２の構成数、溝の断面形状、間隔及び配置構成は図３に示すものに限定されるものではない。また、溝１４及び１６の溝幅、凹陥部３２の大きさについても用途に応じて任意に設定することができる。
【００３１】
そこで、本発明に係る用品載置台を印鑑置きとし、かつ、該印鑑置きの上面に凹陥部を形成したものの別の形態として図４に示す。
【００３２】
つまり、印鑑を載置するために形成された溝の形状は、切欠き部の断面をＶ字状に成形した溝２２であってもよく、多角状等に成形した溝であってもよい。また、凹陥部の形状も図３に示すような円形状の凹陥部３２に限定されるものではなく、角印等にも使用可能な四角状の凹陥部（切欠き部）４２が形成されてもよい。
【００３３】
更に、溝１６、２２及び凹陥部４２の構成数、間隔、配置構成、溝１６及び２２の溝幅、凹陥部４２の大きさも特に限定されるものではなく、用途に応じて任意に設定することが可能である。
【００３４】
また、本発明の実施の他の形態として図５に示す。図５において符号５０は本発明に係る用品載置台を筆置きとした場合の一例である。
【００３５】
筆置き５０には、印鑑置きの場合と同様に、竹材１２の表面に切欠き部の断面をＵ字状に成形した溝（切欠き部）５２が設けられている。溝５２は竹材１２の上面１１から前側面１３にまで達しているため、筆軸を溝５２に筆先を上に向けて斜めに立て掛けて載置する場合に、筆が筆置き５０から転落することがない。
【００３６】
また、図６に示した従来の筆置き６０の筆軸を支える溝６２の奥行き方向の幅Ｔに比べて、図５に示す本発明に係る筆置き５０の切欠き部の断面をＵ字状に成形した溝５２は奥行き方向に十分な長さを設けているため、筆軸と溝５２との接触面積が増大し、筆軸を安定的に保持することができる。よって、隣の筆と触れあうことがなく、また、筆先の重みで筆先側へ傾斜し、滑り落ちることもない。
【００３７】
更に、筆置きの高さについても、図６に示した従来の筆置き６０に比べて、図５に示す本発明の筆置き５０は低いため、その結果として溝５２の傾斜が緩やかとなり、筆置き５０に置いた筆が筆先の重みで手前に滑り落ちることもない。
【００３８】
更にまた、上面１１が奥行き方向に凸に彎曲しているため、竹材１２の厚みが薄い場合であっても、溝５２の溝深さを十分に確保することができ、筆を載置した場合に安定的に保持することが出来る。
【００３９】
なお、前記印鑑置きの場合と同様、切欠き部の断面をＵ字状に成形した溝５２の構成数、断面形状、溝の間隔及び溝幅は図５に示すものに限定されるものではない。また、溝５２に対して筆置き５０の長手方向に幅広であって切欠き部の断面を四角状に成形した溝及び凹陥部等を設けることもできる。
【００４０】
以上、本発明に係る用品載置台の実施形態について、図面に基づいて種々説明したが、本発明に係る用品載置台は図示したものに限定されるものではない。例えば、用品載置台の材料となる竹材には、モウソウダケ、マダケ、黒竹などを用いることができ、また、燻煙処理後の竹材に限定されず、用品載置台に加工した後、燻煙処理を行っても良い。更に、用品載置台の材料には、竹材の他、金属、プラスチック、又はセラミックス等を用いることもできる。その他、本発明はその主旨を逸脱しない範囲で、当業者の知識に基づき種々なる改良、修正、変形を加えた態様で実施できるものである。
【００４１】
【発明の効果】
従来の筆置きでは、その構造上、筆の安定性に欠けるという問題があったが、本発明に係る筆置きでは、筆を安定的に保持することができる。更に、加工の態様によって用途に応じた自由な構成を得ることができる。
【００４２】
また、従来の筆置きでは、印鑑置きとして転用することは困難であり、印鑑を載置した際には使用の態様により印鑑が転落するという問題があったが、本発明に係る印鑑置きでは、印鑑が転落することがない。更に、加工の態様によって用途に応じた自由な構成を得ることができる。
【００４３】
また、本発明に係る凹陥部に印肉を収納した印鑑置きでは、印鑑置きの利便性をより高めることができる。更に、加工の態様によっても用途に応じた自由な構成を得ることができる。
【００４４】
更に、燻煙処理された竹を使用することにより、黴、腐敗、虫に強い耐久性に優れた竹製品を得ることができる。また、楽器等の製品加工後に出る燻煙竹の廃材を有効利用することもできる。
【００４５】
更にまた、燻煙処理された竹は、燻煙処理の過程において竹の表面から燻煙の煤やタールの成分が浸透していくため、竹の表面は黒色乃至は褐色乃至は茶色に着色されている。よって、独特の深みのある渋い色合いによって印鑑置き等に高級感と安らぎを与える。
【図面の簡単な説明】
【図１】本発明に係る用品載置台を印鑑置きとした場合の一例を示した図であり、同図（ａ）は印鑑置きの全体構成を示した斜視図であり、同図（ｂ）は該印鑑置きに形成された切欠き部の断面をＵ字状に成形した溝（切欠き部）の延長方向の断面図であり、同図（ｃ）は該印鑑置きの長手方向の断面図である。
【図２】本発明に係る用品載置台を印鑑置きとした場合の別形態を示した図であり、同図（ａ）は印鑑置きの全体構成を示した斜視図であり、同図（ｂ）は該印鑑置きの長手方向の断面図である。
【図３】本発明に係る用品載置台を印鑑置きとし、かつ、該印鑑置きの表面に凹陥部（切欠き部）を形成したものの一例を示した斜視図である。
【図４】本発明に係る用品載置台を印鑑置きとし、かつ、該印鑑置きの表面に凹陥部を形成したものの別形態を示した斜視図である。
【図５】本発明に係る用品載置台を筆置きとした場合の一例を示した斜視図である。
【図６】従来の筆置きを示した斜視図である。
【図７】筆置きの試作品を示した図であり、同図（ａ）は筆置きの全体構成を示した斜視図であり、同図（ｂ）は該筆置きに形成された切欠き部の断面をＵ字状に成形した溝（切欠き部）の延長方向の断面図である。
【符号の説明】
１０、２０：印鑑置き（用品載置台）
１１：上面
１２：竹材
１３：前側面
１４、５２、７２：切欠き部の断面をＵ字状に成形した溝（切欠き部）
１６：印鑑置きの長手方向に幅広であって切欠き部の断面を四角状に成形した溝（切欠き部）
２２：切欠き部の断面をＶ字状に成形した溝（切欠き部）
３０、４０：凹陥部に印肉が収納された印鑑置き（用品載置台）
３２、４２：凹陥部（切欠き部）
５０：筆置き（用品載置台）
６０：従来の筆置き
６２：筆軸を支える溝
７０：筆置きの試作品
【図１】
2004090429.tif 000003
【図２】
2004090429.tif 000004
【図３】
2004090429.tif 000005
【図４】
2004090429.tif 000006
【図５】
2004090429.tif 000007
【図６】
2004090429.tif 000008
【図７】
2004090429.tif 000009